(57)【要約】  本発明は、飲料分配システムのための飲料フォント（１０）に関する。飲料フォント（１０）は、第１のアルコールパーセンテージを規定する加圧された飲料を受け取るための第１の入口（２４Ａ）と第２のアルコールパーセンテージを規定する添加物を受け取るための第２の入口（２６）を有する混合導管（２４）を含む。混合導管（２４）は、更に飲料と添加物の混合からなる混合アルコール飲料製品を供給するための出口（１８）を有する。フォント（１０）は更に特定のアルコールパーセンテージまたは混合されたアルコール飲料に対する添加物の特定の濃度を表すパラメータを受け取る制御ユニット（３８）を含む。制御ユニット（３８）は、出口（１８）を通る、混合アルコール飲料に対する特定のアルコールパーセンテージまたは添加物の特定の濃度を規定する混合されたアルコール飲料の流れを形成するために、第２の入口（２６）から混合導管に添加物を流すことができる。
2019503942.tif 000002
【特許請求の範囲】
【請求項１】
飲料分配システムのための飲料フォントであって、この飲料フォントは、
第１のアルコールパーセンテージを規定する加圧された飲料を受け取るための第１の入口と、圧縮された飲料と混合可能で、第２のアルコールパーセンテージを規定する添加物を受け取り、これにより第１のアルコールパーセンテージと第２のアルコールパーセンテージの少なくとも１つをゼロより大きくする第２の入口と、圧縮された飲料と添加物の混合物を構成する混合アルコール飲料製品を供給する出口と、を有し、第１の入口は電子的に制御可能な主バルブを含み、第２の入口は電子的に制御可能な添加バルブを含む混合導管と、
飲料分配位置と非飲料分配位置を規定するタッピングハンドルであって、飲料分配位置では、第１の入口から混合導管を介して出口まで圧縮された飲料の一定の流れを形成するために、電子的に制御された主バルブが開かれ、非飲料分配位置では、第１の入口から混合導管まで圧縮された飲料が流れるのを防止するために、電子的に制御された主バルブが閉じられる、タッピングハンドルと、
混合アルコール飲料製品に対する、所定のアルコールパーセンテージまたは添加物の所定の濃度を示すパラメータを受け取る制御ユニットであって、タッピングハンドルが飲料分配位置に配置された場合に、パラメータに基づいて、電子的に制御された添加バルブを制御して、これにより、出口を通る混合アルコール飲料製品に対して、所定のアルコールパーセンテージまたは所定の濃度の添加物を規定する、混合アルコール飲料製品の流れを形成するために、第２の入口から混合導管に、添加物の流れを形成することができる制御ユニットと、を含む飲料フォント。
【請求項２】
混合導管はベンチュリチューブを構成し、ベンチュリチューブは、電子的に制御される主バルブに接続された入口部分、出口に接続された出口部分、および入口部分と出口部分を接続し、さらに電子的に制御おされた添加バルブに接続された混合部分と、を含み、混合部分は入口部分および出口部分より小さな流路面積を規定する請求項１に記載の電子飲料フォント。
【請求項３】
制御ユニットは、パラメータに応じてパルス幅変調信号を形成でき、パルス幅変調信号により添加バルブの制御ができ、電子的に制御される添加バルブを、開状態と閉状態の間で連続して切り替える請求項１または２に記載の電子飲料フォント。
【請求項４】
制御ユニットは、パルス幅変調信号により電子的に制御された添加バルブを開閉するために、パルス幅変調信号を用いる電子的に制御された添加バルブを更に制御して、１つの電子的に制御された添加バルブのみがそれぞれの時間開き、および／またはパルス幅変調信号は１Ｈｚから１ｋＨｚまで、好ましくは１０Ｈｚから１００Ｈｚまで、より好ましくは３０Ｈｚから７０Ｈｚまで、例えば５０Ｈｚの切換え周波数を規定する請求項３に記載の電子飲料フォント。
【請求項５】
添加バルブは、パラメータに基づいて部分的な開状態を仮定することができる比例バルブである請求項１または２に記載の電子飲料フォント。
【請求項６】
混合導管は、それぞれが更に添加物を受け取るために、第２の入口に隣り合って複数の更なる入口を含み、それぞれの添加物は、加圧された飲料に混合可能であり、更なるアルコールパーセンテージを規定し、更なる入口のそれぞれは、それぞれの更に電子的に制御された添加バルブを含み、その数は、例えば１から５０、好ましくは２から２０、より好ましくは３から１０、最も好ましくは４から８、例えば５から７、または６である請求項１〜５のいずれかに記載の電子飲料フォント。
【請求項７】
混合導管は、予備のアルコールパーセンテージを規定する加圧された予備の飲料を受け取るために、電子的に制御された予備バルブを有する第３の入口を有し、タッピングハンドルが飲料分配位置に配置された場合に、電子的に制御された主バルブと電子的に制御された予備バルブが、予備のパラメータに応じて制御ユニットにより制御される請求項１〜６のいずれかに記載の電子飲料フォント。
【請求項８】
飲料分配システムは、更にパラメータを形成するために制御ユニットにワイヤレスまたはワイヤにより接続された固定または移動式の電子コンピュータデバイスを含み、コンピュータデバイスは、好ましくはグラフィックユーザインターフェイスを含む請求項１〜７のいずれかに記載の電子飲料フォント。
【請求項９】
混合アルコール飲料製品は、３０％未満、好ましくは２０％未満、より好ましくは１０％未満、最も好ましくは５％未満の添加物から構成される請求項１〜８のいずれかに記載の電子飲料フォント。
【請求項１０】
飲料容器は、第１入口、および第２入口に接続された追加の容器に接続される請求項１〜９に記載の飲料フォントを含む飲料分配システム。
【請求項１１】
飲料容器は、圧力チャンバの内側に配置され、または代わりに飲料容器は、外部圧力源に接続される請求項１０に記載の飲料分配システム。
【請求項１２】
加圧された飲料は、炭酸飲料、このましくはビールである請求項１０または１１に記載の飲料分配システム。
【請求項１３】
添加物は、流体、好ましくは水溶液または気体、より好ましくはＣＯ２またはＮ２を含む気体、および／またはアルコールまたは砂糖を含む水溶液、例えばシロップまたはリキュールである請求項１０〜１２のいずれかに記載の飲料分配システム。
【請求項１４】
飲料分配システムにより混合アルコール飲料製品を分配する方法であって、
飲料分配システムは、飲料フォント、第１のアルコールパーセンテージを規定する加圧された飲料を含む飲料容器、および加圧された飲料と混合可能であり、第２のアルコールパーセンテージを規定する添加物を含み、これにより第１のアルコールパーセンテージおよび第２のアルコールパーセンテージの少なくとも１つは、ゼロより大きく、飲料フォントは、
飲料容器に接続された第１の入口、添加物容器に接続された第２の入口、および出口を有する混合導管であって、第１の入口は電子的に制御された主バルブを含み、第２の入口は電子的に制御された添加バルブを含む、混合導管、
飲料分配位置および非飲料分配位置を規定するタッピングハンドル、および、
制御ユニット、を含み、
この方法は、更に、以下の工程：
混合アルコール飲料製品に対する特定のアルコールパーセンテージまたは特定の添加物濃度を表すパラメータを制御ユニットにより受け取る工程、
第１の入口から混合導管に加圧された飲料が流れるのを防止するために、電子的に制御された主バルブが閉じられた非飲料分配位置から、第１の入口から混合導管を通って出口まで加圧された飲料の一定の流れを形成するために、電子的に制御された主バルブが開かれた飲料分配位置まで、タッピングハンドルを変化させる工程、および、
制御ユニットを用いて電子的に制御された添加バルブを制御し、これにより、第２の入口から混合導管に添加物を流し、出口を通る混合アルコール飲料製品に対して、所定のアルコールパーセンテージまたは添加物の所定の濃度を規定する、混合アルコール飲料製品の流れを形成する工程、を含む方法。
【請求項１５】
加圧された飲料と添加物との混合からなる混合アルコール飲料製品を供給するための出口を含む飲料フォントを含む飲料分配システムであって、更に飲料フォントのすぐそばに、
第１のアルコールパーセンテージを規定する加圧された飲料を受け取る第１の入口と、加圧された飲料と混合可能であり、第２のアルコールパーセンテージを規定する添加物を受け取る第２の入口とを有し、第１のアルコールパーセンテージおよび第２のアルコールパーセンテージの少なくとも１つはゼロより大きく、第１の入口は電子的に制御される主バルブを含み、第２の出口は電子的に制御された添加バルブを含む混合導管と、
第１の入口に接続された飲料容器と、
第２の入口に接続された添加物容器と、
電子的に制御された主バルブが開き、第１の入口から混合導管を通って出口まで、加圧された飲料の一定の流れを形成する飲料分配位置と、電子的に制御された主バルブが閉じて、第１の入口から混合導管までの加圧された飲料の流れを防止する非飲料分配位置と、を規定するタッピングハンドルと、
混合アルコール飲料製品に対して所定のアルコールパーセンテージまたは添加物の所定の濃度を表すパラメータを受け取る制御ユニットであって、タッピングハンドルが飲料分配位置に配置された場合に、パラメータに基づいて、電子的に制御され添加バルブの制御を可能にし、これにより第２の入口から混合導管に添加物を流して、混合アルコール飲料製品に対して所定のアルコールパーセンテージまたは添加物の所定の濃度を規定する混合アルコール飲料製品の出口を通る流れを形成する制御ユニットと、を含む、飲料分配システム。
【発明の詳細な説明】
【技術分野】
【０００１】
本発明は、飲料分配システム用の飲料フォント、飲料フォントを含む飲料分配システム、および飲料分配システムを提供することによる混合アルコール飲料製品の分配方法に関する。
【背景技術】
【０００２】
バーやレストラン等のような商業施設での生の飲料の分配は、一般に、加圧容器と飲料フォントを含む飲料分配システムを用いて行われる。飲料フォントは、飲料ラインと蛇口を含む。飲料を分配するために、オペレータは蛇口を開けて、飲料容器から、オペレータが持つかまたは蛇口の下に置かれたグラスに、飲料が蛇口を通って流れる。
【０００３】
市場では、２つの別々のタイプの飲料分配システムが存在し、その第１は、何十年も知られており、リサイクルされた樽を用いるシステムであり、第２は使い捨ての樽を用いる新しいシステムである。従来のタイプは、固い金属容器を用い、容器の内部を加圧するために、この容器は加圧された二酸化炭素ボトルからの二酸化炭素を用いて加圧される。新しいタイプは、加圧チャンバ中に保持された圧縮性のプラスチック容器を用いる。容器は、コンプレッサからの空気圧力により外部から加圧され、分配中に容器を加圧する。後者のタイプの飲料分配システムの１つの例は、本出願人自身の国際出願ＷＯ０７／０１９８５３Ａ２に記載されている。
【０００４】
飲料、特にビールや、それに含まれるプリスナー、ラガー、エール、スタウト、ポーター等のような炭酸飲料は、非常の多量の変形が存在する。変形は、異なる種類と量のモルト、イーストおよびホップを用いて得られる。更に、アルコールと二酸化炭素の量は、異なるビールの変形の間で著しく異なる。また更に、追加のフレーバー成分が加えられたフレーバービールが存在する。
【０００５】
生の飲料システムは施設内で多くの空間を占めることが、一般的な設備は生の飲料として限られた種類しか提供できない理由である。それぞれの生の飲料の種類は、一般的な２０〜３０リットルの大きな樽中で提供され、この樽は、冷却、分離した蛇口、および分離したライン等を必要とする。このように、生の飲料として入手できるそれぞれの追加の飲料は、施設のための投資に追加される。その結果として、一般的な施設は、生の飲料として、限定された数の最も人気のある飲料を提供し、より売上げの少ない飲料は、ボトルのみの形態で提供される。
【０００６】
上記問題を解決するために、飲料分配システムは、１またはそれ以上の添加物が飲料容器から供給される飲料の中に注入される。この方法では、１つの蛇口と１つの飲料容器が複数の飲料の種類を提供できるので、飲料の種類の入手可能性が増加する。
【０００７】
全てのソフトドリンクは、ソフトドリンクの種類に依存して異なる、炭酸水および添加物に基づくため、ソフトドリンク装置は、一般に上記原理に基づく。この方法では、コーラ、オレンジ、リンゴ、トニック、ソーダ等の味を有するソフトドリンクを作製するために、炭酸水が添加物と混ぜられる。
【０００８】
１つの例がＥＰ２８９１６２２Ａ１に記載されており、これは、少なくとも１つの混和性の添加物を主液の流れに注入できる、飲料を分配するためのデバイスを開示する。混和性の添加物の注入は、バルブにより制御される。また、注入は、ベンチュウリー効果を用いて行っても良い。
【０００９】
他の例は、ＤＥ１０１２６５９８Ｂ４であり、１つがシロップであり、他が炭酸水である、２つの流れの混合を可能にする装置を開示する。
【００１０】
更に、ＷＯ２０１２／１２３４６２は、直接消費のために、水ベースの炭酸化された、後に混合される飲物を、部分的に製造する方法が開示され、この方法では、水が炭酸化され、次に一部がパッケージ化された予め炭酸化された飲物濃縮液と混合される。
【００１１】
また、ＥＰ２７０３３３６Ａ１は、２つの成分を混合し、混合チャネルのための入口チャネルに残る添加物を避けるための可撓性膜を有する飲料タップを開示する。
【００１２】
ＵＳ４５３５９１７は、圧力差を生じるために、供給ライン中にベンチュリ用いる分配装置を開示する。
【００１３】
上記システムの１つの欠点は、飲料に関して添加物の濃度を一定にするのが困難であるという事実が存在することである。ソフトドリンクに関しては、問題は大きくはないが、しかしながら、アルコール飲料に関しては、最終飲料が所定のアルコール成分を有するように確実にしなければならない。
【００１４】
１つの観点は、国税、即ち高いアルコールパーセンテージを有する飲料の価格は、低いアルコールパーセンテージを有する飲料よりずっと高くなるという事実を処理することである。
【００１５】
税率は、異なる管轄区の間で大きく変わる。例えば０．５％未満のような非常に低いａｂｖ（alcohol by volume：体積当たりのアルコール）を有するビールは、「アルコール無し（alcohol free）」と考えられ、追加の税は無いが、一方で、より高いａｂｖを有するビールは、ａｂｖに依存した税率を有する。
【００１６】
更に、自動車を使用したり、または仕事、スポーツ等の他の必要な業務を行いたい人は、飲んだ後に、人がその業務を行えることを確実にするために、特定のアルコール成分を有する飲料を受け取ることを信用できなければならない。全てではないにしても、殆どの国は、アルコールの影響の下での運転に関して厳格な規則を有し、運転前にはアルコールを禁止し、またはほんの少量のアルコールのみを許可する。
【００１７】
このように、本発明の目的は、添加物の濃度と、これによる混合飲料中のアルコール量が、使用者特有の量と一致して対応することを確実にする方法を提供する。
【発明の概要】
【００１８】
少なくても上記目的、または本発明の以下の記載から明らかになるであろう多くの更なる目的の少なくとも１つは、飲料分配システムのための飲料フォントにより得られる本発明の第１の態様かかるものであり、この飲料フォントは、
第１のアルコールパーセンテージを規定する加圧された飲料を受け取るための第１の入口と、圧縮された飲料と混合可能な添加物を受け取り、第２のアルコールパーセンテージを規定して、これにより第１のアルコールパーセンテージと第２のアルコールパーセンテージの少なくとも１つをゼロより大きくする第２の入口と、圧縮された飲料と添加物の混合物を構成する混合アルコール飲料製品を供給する出口と、を有し、第１の入口は電子的に制御可能な主バルブを含み、第２の入口は電子的に制御可能な添加バルブを含む混合導管と、
飲料分配位置と非飲料分配位置を規定するタッピングハンドルであって、飲料分配位置では、第１の入口から混合導管を介して出口まで圧縮された飲料の一定の流れを形成するために、電子的に制御された主バルブが開かれ、非飲料分配位置では、第１の入口から混合導管まで圧縮された飲料が流れるのを防止するために、電子的に制御された主バルブが閉じられる、タッピングハンドルと、
混合アルコール飲料製品に対する、所定のアルコールパーセンテージまたは所定の添加物の濃度を示すパラメータを受け取る制御ユニットであって、タッピングハンドルが飲料分配位置に配置された場合に、パラメータに基づいて、電子的に制御された添加バルブを制御して、これにより、出口を通る混合アルコール飲料製品に対して、所定のアルコールパーセンテージまたは所定の濃度の添加物を規定する、混合アルコール飲料製品の流れを形成するために、第２の入口から混合導管に、添加物の流れを形成することができる制御ユニットと、を含む。
【００１９】
飲料は、二酸化炭素、空気、または飲料を直接ポンプするポンプのような手段により加圧されても良い。飲料は、人が消費するために適した水ベースの溶液であると理解される。アルコールパーセンテージは、アルコールフリーの飲料のような、ゼロでも良いが、しかしながら、一般には、加圧された飲料はゼロパーセントでないアルコールを含んでも良い。添加物は、飲料と混合可能な、即ち、加圧された飲料と混和性があり、毒の、食べるのに適さない、またはそうでなくても適さない製品を形成するような方法で飲料と反応しない。結果の混合飲料製品はアルコールであるべきで、少なくとも添加物および加圧された飲料の１つはアルコールであるべきで、ゼロでないアルコールパーセンテージを有する。混合飲料製品のアルコールパーセンテージは、一般には、０．５％から２０％の範囲であり、加圧された飲料または添加物の少なくとも一方は、ゼロでないアルコールパーセンテージを有するべきである。例えば、飲料は、ゼロアルコールパーセンテージを有し、一方、添加物は０．５％から２０％のアルコールパーセンテージを有しても良く、またその逆でも良い。代わりに、加圧された飲料と添加物の双方が、０．５％から２０％のアルコールパーセンテージを有しても良い。加圧された飲料と添加物それぞれのアルコールパーセンテージおよび体積を知ると、混合飲料のアルコールパーセンテージは、簡単な計算で求めることができる。
【００２０】
加圧された飲料は、混合アルコール飲料製品の大部分を構成し、その上、加圧された飲料の加圧により加圧される。さらに添加物が任意的に加圧されても良い。また、添加物は、ゼロパーセントのアルコールを含んでも良く、またはゼロパーセントでないアルコールを含んでも良い。添加物は、一般には、モルトまたはホップから形成されたシロップのような液体であるが、しかしながら、同様に、Ｎ２またはＣＯ２のような気体を用いても良い。粉体や細粒のような固体であっても、うまくいくであろう。添加物は、ストロベリー、ライムのような味を有しても良い。
【００２１】
タッピングハンドルが操作された場合、主バルブが開く。ハンドルは、例えば、押されるボタン、またはより一般にはビールの場合には水平位置から垂直位置に動くロッドでも良い。加圧された飲料は、これにより入口から混合導管に流れ、混合導管を通って出口に流れる。同時に、添加バルブが開いて、適当な量の添加物が、導管を通る飲料の流れに混ぜられる。混合導管の終わりは、混合アルコール飲料製品が、飲料グラス等に放出される飲料出口である。混合導管での添加物の注入は、混合された飲料製品中の飲料と添加物の均一な混合と共に、結果の混合アルコール飲料製品中の添加物の濃度の、高い正確性を可能にする。一般に、主バルブは、閉じられるか、完全に開放されるかのいずれかであるが、しかしながら、飲料の流れがより遅い、中間の位置も同様にありそうである。添加物の混入は、これにより、所望の濃度を保つために適用されるべきである。
【００２２】
飲料に混入される添加物の量は、ユーザにより制御ユニットに送られたパラメータによって決定される。制御ユニットは、パラメータを受け取って蓄積することができる、マイクロプロセッサ等であり、このパラメータに基づいて添加バルブを制御できる。パラメータは、飲料に対する所定の添加物の濃度、例えば２０％の添加物と８０％の飲料、を決定しても良い。そのような濃度は、例えば２リットル／分の飲料と０．５リットル／分の添加物を提供することにより達成される。パラメータは、また、例えば５％のような混合アルコール飲料製品中の所定のパーセンテージまたはアルコールでも良く、制御回路は、追加のパラメータの助けが必要な場合は、飲料に対する添加物の所定の濃度を導き出す。例えば、ユーザは、好ましくは、アルコールパーセンテージと共に所望の味や所望の飲料のタイプを特定しても良く、飲料に対する添加物の濃度が、次に、ユーザの望みにマッチするように、制御回路により決定されても良い。
【００２３】
パラメータは、このように、ユーザにより直接得られても、ユーザにより望まれた特定の味に基づいて形成されて良い。ノブ、ホイール、またはいずれかの電子同等品のようなユーザインターフェイスは、パラメータおよび／またはテイストの入力のために提供されても良い。より精巧なユーザインターフェイスは、プロセスを表し、様々なユーザ選択肢を入力するために、タッチスクリーンディスプレイを用いたグラフィックインターフェイスを含んでも良く、これは、飲料に対する添加物のパーセンテージおよび／またはアルコールパーセンテージの詳細に入力に関連する、予め決められた混合の番号の１つをユーザが選択するのを可能にする、単純な「ワンタッチ」セッティングを含む様々なユーザオプションを入力する。
【００２４】
ユーザが所望の量の飲料を分配した場合、ユーザはハンドルを非飲料分配状態に戻して、主バルブと添加バルブの双方を閉じ、これにより出口を通る飲料の流れを中断する。添加物の混入は、連続して、または少なくとも準連続に行われるため、ユーザはいつでも飲料の分配を中断しても良く、一方で、例えば、正確な濃度の添加物が保持されて、飲料と添加物は正確に混合される。これにより、常に、飲料中で、正確なアルコールパーセンテージが保持される。
【００２５】
飲料分配システムのための飲料フォントのさらなる具体例では、混合導管はベンチュリチューブを構成し、ベンチュリチューブは、電子的に制御された主バルブに接続された入口部分、出口に接続された出口部分、入口部分と出口部分とを相互に接続し、さらに電子的に制御された添加バルブに接続された混合部分、を含み、混合部分は、入口部分および出口部分より小さな流路面積を規定する。
【００２６】
添加物を飲料に混入するためのベンチュリチューブの使用は、飲料自身の流れを、添加物を飲料の流れに押すために使用することを暗示する。この方法では、添加物の飲料の流れ中への、添加物の非常に正確な混入が達成される。ベンチュリの混合部分、即ち添加物が飲料に出会う位置では、ベンチュリチューブの入口部分と出口部分より小さな流路面積が規定され、これにより、飲料の流れの速度が、混合部分でより高くなり、ベンチュリ効果として知られる吸引効果を発生し、添加物が、高精度で、飲料の流れの中に混入される。ベンチュリ原理により、添加物を飲料の流れの中に積極的に引き込む必要がなく、飲料自身が添加物を引き込む。
【００２７】
飲料分配システムのための飲料フォントのさらなる具体例では、制御ユニットはパラメータに応じてパルス幅変調信号を形成し、パルス幅変調信号により添加バルブを制御して電子的に制御された添加バルブを開状態と閉状態との間で連続して切り替えることが可能になる。
【００２８】
パルス幅変調信号は、加圧飲料と添加物との間の混合パーセンテージを示すパラメータ、即ち飲料に対する添加物の濃度に基づく。パルス幅変調信号は、添加バルブが開き、閉じたそれぞれの時間を定義し、この結果、混合アルコール飲料製品中の特定の濃度の添加物となる。これにより、添加バルブのみが、閉じた状態と完全に開いた状態の２つの状態を有することも仮定できる。負荷サイクル、即ち、バルブが開いた全ての時間は、混合アルコール飲料製品中の所望の濃度の添加物に対応する。例えば主バルブが開かれた場合、飲料の流れが一定であり、添加バルブが開かれた場合、添加物の流れは一定であり、主バルブと添加バルブの双方が開いた場合に、飲料の流れは添加物の流れより５倍速いと仮定する。この条件で、飲料分布位置にハンドルを維持した状態で、全期間の間添加バルブが開いていた場合は添加物の濃度は２０％であり、一方、期間の５０％開き、期間の５０％閉じた負荷サイクルにより添加バルブが連続して開閉された場合は、１１％の添加物濃度が達成される。
【００２９】
飲料分配システムのための飲料フォントのさらなる具体例では、パルス幅変調信号は、１Ｈｚと１ＫＨｚとの間、好適には１０Ｈｚと１００Ｈｚとの間、更に好適には３０Ｈｚと７０Ｈｚとの間、例えば５０Ｈｚのスイッチング周波数を規定する。
【００３０】
スイッチング周波数は、均一な飲料を得るためには高い方が好ましい。これは、飲料中への添加物の混合を改良する。更に、所望の濃度が全ての期間で達成できるため、高いスイッチング周波数は重要である。期間中にユーザが飲料分配を中断した場合、濃度は正確ではないだろう。スイッチング周波数が低い場合、ユーザはいつでも飲料分配を中断しても良いが、添加物の濃度が所望の濃度に対応しないというリスクがある。しかしながら、周波数が高いほど、誤差は小さくなる。しかしながら、周波数が高すぎると、バルブが開く時間、および閉じる時間により、所望のようにはならず、この周波数は、一般には１ミリ秒の大きさのオーダである。このように、上述のスイッチング周波数は、上述の誤差の理由の間で良好なトレードオフを規定する。
【００３１】
飲料分配システムのための飲料フォントのさらなる具体例では、添加バルブは、パラメータに応じて部分的な開状態を仮定できる比例バルブである。
【００３２】
パルス幅変調信号を用いてバルブを制御する代わりに、バルブは、飲料分配の全ての期間、一定の部分的に開いた状態に仮定できる比例バルブでも良い。バルブ開放のパーセンテージと、これによる流路面積は、所望の濃度に応じて開き、即ち開きが大きくなるほど、混合アルコール飲料製品中でより高い濃度の添加物となる。このように、所望の濃度の添加物に応じて、制御ユニットにより、完全に閉じた状態から完全に開いた状態の間で、固定された開きパーセンテージが規定される。
【００３３】
飲料分配システムのための飲料フォントのさらなる具体例では、混合導管は、それぞれの更なる添加物を受け取るために、第２の入口に隣り合って複数の更なる入口を含み、それぞれは、これらの添加物は加圧された飲料に混合可能で、更なるアルコールパーセンテージを規定し、更なる入口のそれぞれは、更に電子的に制御される添加バルブをそれぞれ含み、その数は、例えば１から５０、好適には２から２０、より好適には３から１０、更に好適には４から８、例えば５から７、または６である。
【００３４】
さらに飲料の選択の種類を達成するために、１つより多くの添加物が好ましい。添加物は、上で述べたような同様の方法で、第１の添加物に対して飲料中に混入される。制御回路は、混合アルコール飲料製品中のそれぞれの添加物の濃度と、混合アルコール飲料製品中のアルコールパーセンテージを計算する場合に、全ての添加物を考慮しなければならず、添加バルブはこれに従って制御されなければならない。上述の数の添加物は、大きな数の飲料の種類を達成するために適している。
【００３５】
さらなる電子的に制御される添加バルブを制御する制御ユニットが、パルス幅変調信号に応じてさらなる電子的に制御される添加バルブを開いたり閉じたりするために、パルス幅変調信号を用いる場合、さらなる電子的に制御される添加バルブが、それぞれの時間に１つの電子的に制御される添加バルブのみが開くように構成されることが好ましい。
【００３６】
飲料分配システムのための飲料フォントのさらなる具体例では、混合導管は、予備のアルコールパーセンテージを規定する加圧された予備の飲料を受け取るための電子的に制御された予備バルブを有する第３の入口を含み、タッピングハンドルは飲料分配位置にある場合に、電子的に制御された主バルブと電子的に制御された予備バルブは、予備のパラメータに応じて制御ユニットにより制御される。
【００３７】
更に、入ってくる飲料は、２つの飲料の混合を構成し、または例えば、ラガーとエール、またはアルコール飲料とノンアルコール飲料のような、２つの主な飲料の間の選択でも良い。電子的に制御された主バルブと電子的に制御された予備バルブは、ハンドルにより、および制御回路により制御され、開閉自身はハンドルにより制御され、一方で、制御ユニットは、ユーザの入力に応じて、電子的に制御された主バルブと、電子的に制御された予備バルブのどちらを開くべきかを決定する。電子的に制御された主バルブと電子的に制御された予備バルブは、２つの加圧された飲料、例えば飲料と予備飲料の間の正確な混合を達成するために、添加バルブと接続された、上述のような比例バルブまたはパルス幅制御バルブでも良い。
【００３８】
飲料分配システムのための飲料フォントのさらなる具体例では飲料分配システムは、さらに制御ユニットにワイヤレスまたはワイヤで接続された固定または移動式の電子コンピュータデバイスを含み、コンピュータデバイスは、好適にはグラフィカルユーザインターフェイスを含む。
【００３９】
電子コンピュータデバイスは、例えば、フォントまたはシステムに組み込まれたラップトップ、タブレット、または類似のデバイスでも良い。電子コンピュータデバイスは、制御ユニットとユーザとの間のユーザインターフェイスを備える。電子コンピュータデバイスは、情報を入力するキーボードまたはタッチスクリーンを含んでも良い。ユーザは、パラメータを直接入力して添加物と飲料との間の関係を規定しても良いし、またはユーザは、アルコールの含有量、タイプ、および／または味のような他の情報を入力しても良い。ユーザが全てのありうるセッティングにアクセスできて、ユーザに個人的な混合飲料の作製を可能にするエキスパートモード、およびユーザが多数の予め選択可能な混合飲料から選択できるシンプルモード、のような異なるモードを備えても良い。電子コンピュータデバイスは、また、分配前に飲料の選択時にユーザを補助する追加の情報を提供するためのスクリーンを含み、分配中および分配後の体積、アルコール含有量等の詳細を示しても良い。
【００４０】
飲料分配システムのための飲料フォントのさらなる具体例では飲料分配システムは、混合アルコール飲料製品は、３０％未満、好適には２０％未満、より好適には１０％未満、最も好適には５％未満の添加物を含む。
【００４１】
一般には、混合飲料製品の多くの部分は加圧された飲料からなり、少ない部分は添加物である。添加物は、濃縮された形態で提供され、小さな体積の添加物が、飲料の味に大きな変化をもたらす。この方法では、添加物容器は、小さく形成でき、これによりフォントの周辺でより少ない空間を占める。
【００４２】
少なくとも上記目的、または本発明の以下の記載から明らかになる、複数の更なる目的の少なくとも１つは、飲料分配システムにより得られた本発明の第２の態様に対応し、この飲料分配システムは、いずれかの請求項にかかる飲料フォント、第１の入口の接続された飲料容器、および第２の入口に接続された添加物容器を含む。
【００４３】
一般に、上述のフォントは飲料分配システムの中に組み込まれ、飲料分配システムは、加圧された飲料の容器および添加物容器を含む。複数の添加物容器および複数の飲料容器は、上述のように実行できる。
【００４４】
飲料分配システムのさらなる具体例では、飲料容器は加圧チャンバの中に配置され、または代わりに飲料容器は外部の加圧源に接続される。
【００４５】
飲料分配システムは、二酸化炭素により加圧された金属の樽の中に飲料が貯蔵される従来のタイプ、または飲料が折りたたみ可能なプラスチック製の樽に貯蔵され、空気コンプレッサのような加圧源の手段により加圧された加圧チャンバ中に配置される新しいタイプ、のいずれでも良い。
【００４６】
飲料分配システムのさらなる具体例では、加圧された飲料は、炭酸飲料、好適にはビールである。
【００４７】
本システムは、特に、新鮮で泡立ちを保持するために、加圧下で貯蔵される炭酸アルコール飲料のために有用である。好適には、本システムは、ビールのために使用され、ビールは多数の変形が存在することが知られている。
【００４８】
飲料分配システムのさらなる具体例では、添加物は流体、好適には水溶液または気体、より好適にはＣＯ２またはＮ２を含む気体および／またはアルコールまたは砂糖を含む水溶液、例えばシロップまたはリキュールである。
【００４９】
加圧された飲料が液体で、添加物が液体と混合可能な流体でも良い。好適には、大麦シロップまたはホップシロップのようなシロップが使用される。アルコール飲料は、また、混合飲料製品のアルコールパーセンテージを増加するために使用されても良い。
【００５０】
少なくとも上記目的、または本発明の以下の記載から明らかになる、複数の更なる目的の少なくとも１つは、飲料分配システムにより提供される混合アルコール飲料製品を分配する方法により得られた本発明の第３の態様に対応し、この飲料分配システムは、飲料フォント、第１アルコールパーセンテージを規定する加圧された飲料を含む飲料容器、および加圧された飲料と混合可能であり、第２のアルコールパーセンテージを規定する添加物を含む添加物容器、を含み、第１のアルコールパーセンテージおよび第２のアルコールパーセンテージの少なくとも１つはゼロより大きく、飲料フォントは、
飲料容器に接続された第１の入口、添加物容器に接続された第２の入口、および出口を有する混合導管であって、第１の入口は電子的に制御された主バルブを含み、第２の入口は電子的に制御された添加バルブを含む、混合導管、
飲料分配位置および非飲料分配位置を規定するタッピングハンドル、および、
制御ユニット、を含み、
この方法は、更に、以下の工程：
混合アルコール飲料製品に対する特定のアルコールパーセンテージまたは特定の添加物濃度を表すパラメータを制御ユニットにより受け取る工程、
第１の入口から混合導管に加圧された飲料が流れるのを防止するために、電子的に制御された主バルブが閉じられた非飲料分配位置から、第１の入口から混合導管を通って出口まで加圧された飲料の一定の流れを形成するために、電子的に制御された主バルブが開かれた飲料分配位置まで、タッピングハンドルを変化させる工程、および、
制御ユニットを用いて電子的に制御された添加バルブを制御し、これにより、第２の入口から混合導管に添加物を流し、出口を通る混合アルコール飲料製品に対して、所定のアルコールパーセンテージまたは添加物の所定の濃度を規定する、混合アルコール飲料製品の流れを形成する工程、を含む。
【００５１】
第３の形態にかかる方法は、好適には、第１の形態にかかるフォントおよび第２の形態にかかるシステムと共に用いられる。
【００５２】
少なくとも上記目的、または本発明の以下の記載から明らかになる、複数の更なる目的の少なくとも１つは、飲料分配システムにより得られた本発明の第４の形態に関し、この飲料分配システムは、加圧された飲料と添加物の混合からなる混合アルコール飲料製品を供給するための出口を含む飲料フォントを含み、さらに、飲料フォントのすぐそばに、
第１のアルコールパーセンテージを規定する加圧された飲料を受け取る第１の入口と、加圧された飲料と混合可能であり、第２のアルコールパーセンテージを規定する添加物を受け取る第２の入口とを有し、第１のアルコールパーセンテージおよび第２のアルコールパーセンテージの少なくとも１つはゼロより大きく、第１の入口は電子的に制御される主バルブを含み、第２の出口は電子的に制御された添加バルブを含む、混合導管と、
第１の入口に接続された飲料容器と、
第２の入口に接続された添加物容器と、
電子的に制御された主バルブが開き、第１の入口から混合導管を通って出口まで、加圧された飲料の一定の流れを形成する飲料分配位置と、電子的に制御された主バルブが閉じて、第１の入口から混合導管までの加圧された飲料の流れを防止する非飲料分配位置と、を規定するタッピングハンドルと、
混合アルコール飲料製品に対して所定のアルコールパーセンテージまたは添加物の所定の濃度を表すパラメータを受け取る制御ユニットであって、タッピングハンドルが飲料分配位置に配置された場合に、パラメータに基づいて、電子的に制御され添加バルブの制御を可能にし、これにより第２の入口から混合導管に添加物を流して、混合アルコール飲料製品に対して所定のアルコールパーセンテージまたは添加物の所定の濃度を規定する混合アルコール飲料製品の出口を通る流れを形成する制御ユニットと、を含む。
【００５３】
いくつかの場合、フォントの外側でフォントの近くに混合導管を有することが好ましい。これはフォントでいくらかの空間を節約するが、しかしながらフォント中にいくらかの混合された飲料製品が残り、分配される次の飲料の味に影響するという欠点がある。
【図面の簡単な説明】
【００５４】
【図１】本発明にかかる飲料フォントの斜視図である。
【図２Ａ】本発明にかかる飲料フォントの正面図である。
【図２Ｂ】本発明にかかる飲料フォントの側面図である。
【図３】本発明にかかる飲料フォントの切欠図である。
【図４】本発明にかかる飲料フォントの拡大図である。
【図５Ａ】本発明にかかるタッピングヘッドの正面図である。
【図５Ｂ】本発明にかかるタッピングヘッドの斜視図である。
【図６Ａ】本発明にかかるタッピングヘッドの側面図である。
【図６Ｂ】本発明にかかるタッピングヘッドの切欠図である。
【図７】本発明にかかる飲料分配システムの図である。
【発明を実施するための形態】
【００５５】
図１は本発明にかかる飲料フォント１０の斜視図である。フォント１０は、飲料分配システム（図示せず）の一部を形成する。フォント１０は、中空の支柱１２を含み、支柱１２は、一端がタッピングヘッド１４に接続され、他端がバーカウンタ等（図示せず）に接続される。タッピングヘッドは、タッピングハンドル１５を含み、タッピングハンドル１５はその閉じた垂直の位置で示されるが、水平の位置に廻されて、飲料出口１８を通って飲料の分配を開始しても良い。ハンドル１６は主飲料バルブ２０に接続され、主飲料バルブ２０は、加圧された容器（図示せず）と出口１８との間で飲料の流れを制御する。主飲料バルブ２０は、電子的に制御される。加えて、本具体例にかかるタッピングヘッド１４は、６つの電子的に制御された添加バルブ２２Ｉ−ＶＩを含みが、添加バルブ２２Ｉ−ＶＩの数は、基本的な変形と考えられる、１の場合から、広い空間が得られる場合の、６を超えるいずれかのありそうな数までに渡る。添加バルブ２２Ｉ−ＶＩは、飲料が出口１８から流れ出る前に、加圧された飲料への添加物の混入を制御する。制御ユニット（図示せず）は、ユーザにより与えられたパラメータに基づいて添加バルブ２２Ｉ−ＶＩを制御する。
【００５６】
図２Ａは、本発明にかかる飲料フォント１０の正面図である。この図では、予備の飲料バルブ２０’は、主飲料バルブを通る加圧された飲料に加えて、代わりの加圧された飲料を提供するために使用される、ハンドル１６が水平位置に廻されて、出口１８を通って飲料の分配を始める場合、主飲料バルブおよび／または予備の飲料バルブ２０’の開放は、制御ユニット（図示せず）に提供されたユーザパラメータに基づく。このように、ユーザパラメータに基づいて、ハンドル１６が水平位置に廻された場合、バルブ２０、２０’のいずれかまたは双方が開く。
【００５７】
図２Ｂは、本発明にかかる飲料フォント１０の側面図である。バルブ２０、２０’および添加バルブ２２Ｉ−ＶＩが、飲料出口に近い場所に配置され、フォント１０中に多量の混合された飲料が残るのを避けるのが見られる。そのような飲料は、衛生的な問題への貢献の他に、また次の分配の味に影響し、飲料の味を変えるかも知れない。
【００５８】
図３は、本発明のかかる飲料フォント１０の切欠図を示す。加圧された飲料は、主飲料バルブ２０および／または予備の飲料バルブ２０’から、混合導管２４を通って出口１８に導かれる。混合導管２４は、小さい流路面積を有し、増加した速度で飲料を流すベンチュリチューブからなる。混合導管２４は、複数の付加導管２６に、加圧された飲料の流れに対して直角に接続される。付加導管の数は、添加バルブ２２の数に対応する。
【００５９】
ハンドル１６が水平位置に廻されて、出口１８を通って飲料の分配を開始した場合、加圧された飲料は、ユーザのパラメータに従って主飲料バルブ２０および／または予備の飲料バルブ２０‘を通って流れ、混合導管２４を通って出口に流れる。混合導管２４および付加導管２６がベンチュリチューブとして働くため、それぞれの添加バルブ２２が開かれた場合に、それぞれの付加導管２６を介して混合導管２４の中に添加物が混入される。特定の添加バルブが開かれるか否かは、ユーザパラメータに依存する。即ち、ユーザが添加物を望むか否かに依存する。このように、添加バルブ２２の１つまたは幾つかは、ユーザによって提供されるパラメータに依存して開いても良い。
【００６０】
添加バルブ２２は、部分的に開いて、完全に開いたバルブに比較して、減らした量の添加物を混入しても良い。完全な開と閉の間で素早い切り換えが可能なスイッチモード制御バルブの手段、または完全に開いた開口部に比較して低減した開口部を仮定する比例バルブの手段の何れでも、非常に正確な特定の量または濃度の添加物の注入を可能にする。添加物の濃度をモニタする、制御ユニット（図示せず）は、添加バルブ２２と、混合飲料製品中のアルコールパーセンテージを制御し、出口１８を通って分配される。
【００６１】
図４は、本発明にかかる飲料フォント１０の拡大図である。この図では、主飲料バルブ２０、予備の飲料バルブ２０’、および２つの添加バルブ２２が、中空の支柱１２に入る、対応する混合導管２４と付加導管２６と共に示されている。飲料と添加物は、バーカウンタ（図示せず）の近所または下に配置された容器から供給される。バルブ２０、２２は、中空の支柱１２を通って導かれるワイヤ２８により、制御ユニット（図示せず）により制御される。
【００６２】
飲料および添加物の流れは、矢印で示される。出口１８において、添加物と飲料は混合されて、予め定められたアルコール含有量を有する均一な混合アルコール飲料製品を形成する。
【００６３】
図５Ａは、本発明にかかるタッピングヘッド１４の正面図を示す。タッピングヘッド１４の中央部分は、円形形状と中心混合導管２４を形成する。
【００６４】
図５Ｂは、本発明にかかるタッピングヘッド１４の斜視図を示す。混合導管２４の混合部分２４Ｂは、混合導管２４の入口部分２４Ａおよび出口部分２４Ｃに比較して小さな流路面積を規定し、混合部分２４Ａを通って高い速度を形成し、付加導管２６を介して添加物を混合するためにベンチュリ効果を増大させる。
【００６５】
図６Ａは、本発明にかかるタッピングヘッド１４の側面図を示す。付加導管２６はタッピングヘッド１４に入り、半径方向から混合導管２４に流体接続される。
【００６６】
図６Ｂは、本発明にかかるタッピングヘッド１４の切欠図を示す。６つの付加導管２６のそれぞれは、隣の付加導管２６に対して６０度の角度で、混合導管２４に接続される。
【００６７】
図７は、本発明にかかる飲料分配システム３０の図である。飲料分配システム３０は、それぞれ飲料を、好適にはビールのような炭酸飲料を含む、２つの加圧された飲料容器３２、３２’を含む。飲料容器３２、３２’は、それぞれ飲料導管３４、３４’を介して、それぞれ電子的な飲料バルブ２０、２０’に接続される。飲料バルブ２０、２０’は、共通の混合導管２４に接続される。混合導管２４は、ハンドル１６により制御される、任意的な分配バルブ４２を介して飲料出口１８に導かれる。
【００６８】
混合導管２４は、飲料バルブ２０と出口１８との間で、更に混合導管２４に対して実質的に直角を形成する付加導管のセットに接続される。付加導管２６のそれぞれは、それぞれ添加バルブ２２を介して、それぞれ添加物を含むそれぞれの添加物容器３６に接続される。飲料バルブ２０と添加バルブ２２は、制御ユニット３８により接続される。
【００６９】
制御ユニット３８は電子的なコンピュータデバイス４０により制御され、コンピュータデバイス４０はラップトップまたはタブレットまたはシステム３０に組み込まれた類似のデバイスでも良く、飲料分配システム３０を操作するユーザのためのユーザインターフェイスとして機能する。電子的コンピュータデバイス４０は、グラフィックユーザインターフェイスを含み、特定のユーザが規定した濃度で、１またはそれ以上の飲料と添加物の間での混合として規定される、ユーザ特定の混合アルコール飲料製品を規定するパラメータをユーザがセットできるようにしても良い。ユーザは、飲料のアルコール含有量について知らされ、これを修正しても良い。飲料出口１８を通る飲料の分配を停止するために、ユーザがハンドル１６を水平な位置に廻した場合、飲料バルブおよび添加バルブは、ユーザにより特定されたパラメータに従って、制御ユニットにより、開かれおよび／または閉じられる。
【００７０】
上述の具体例は、単に、本発明により可能な具体化を記載したに過ぎず、特定の材料や寸法の選択のような更なる変形および仕様は、それ自体当業者にとって明らかであることは明白である。
【符号の説明】
【００７１】
１０  飲料フォント
１２  支柱
１４  タッピングヘッド
１６  タッピングハンドル
１８  飲料出口
２０  主バルブ
２２  添加バルブ
２４  混合導管
２６  付加導管
２８  電気配線
３０  飲料分配システム
３２  飲料容器
３４  飲料導管
３６  添加物容器
３８  制御ユニット
４０  電子的コンピュータデバイス
４２  任意的分配バルブ
（’）およびローマ字は変形を表す
（ａ），（ｂ），（ｃ）はサブパートを表す
【図１】
2019503942.tif 000003
【図２Ａ】
2019503942.tif 000004
【図２Ｂ】
2019503942.tif 000005
【図３】
2019503942.tif 000006
【図４】
2019503942.tif 000007
【図５Ａ】
2019503942.tif 000008
【図５Ｂ】
2019503942.tif 000009
【図６Ａ】
2019503942.tif 000010
【図６Ｂ】
2019503942.tif 000011
【図７】
2019503942.tif 000012
【国際調査報告】
2019503942.tif 000013
2019503942.tif 000014
2019503942.tif 000015